(57)【要約】【課題】従来よりも手間をかけることなく保全計画の設定・管理が可能なシステム及び方法を提供する。【解決手段】保全計画管理システム１０は、系統及び機器を有する設備の設備データを編集する手段１１と、各機器について機器固有情報を含み当該機器のイベントを示すイベント情報３４を編集して設備データとリンクさせ、既設機器とその他の機器とで区別して管理する一方、入力手段から指定された指定期間にイベントがある機器のイベント情報３４を抽出する手段１２と、事件の件名、開始日および終了日の情報とを有する件名データ３５を編集して抽出した機器のイベント情報３４とリンクさせる手段１３とを具備し、手段１３は、件名データ３５とリンクするイベント情報３４が示す機器について、事件の結果、既設の機器に該当するか否かを判断してイベント情報３４の保存先を見直す。【選択図】  図２
2012133669.tif 000002
【特許請求の範囲】
【請求項１】
設備を構成する系統の系統識別情報と、当該系統に属する機器の系統識別情報および機器識別情報と、前記系統および機器の設置日および取外日の情報を含む属性情報の入力を受け付けて、前記系統の系統識別情報および属性情報を有する系統情報と、前記機器の機器識別情報および属性情報を有する機器識別情報とを有する機器情報とを作成し編集するとともに、前記系統識別情報をキーとして前記設備の構成を階層的に表現した設備構成情報を作成し、前記系統情報と、前記機器情報と、前記設備構成情報とを有する前記設備の設備データの入力および編集を行なう設備データ編集手段と、
前記設備データに含まれる機器情報が示す機器の製造番号、型式および製造メーカの少なくとも何れかを含む機器固有情報と、当該機器の点検日および点検周期の情報とを有するイベント情報の入力を受け付けて、前記機器情報が示す機器の機器固有情報を有するイベント情報を作成し編集するとともに前記設備データと前記イベント情報とをリンクさせて、既設の機器のイベント情報については第１のデータベース部に保存し、その他の機器のイベント情報については第２のデータベース部に保存して既設の機器とその他の機器とのイベント情報を区別して管理する一方、入力手段から期間が指定されると当該指定された期間にイベントが予定される機器のイベント情報を抽出する機器データ編集手段と、
前記イベントを少なくとも一つ以上有する事件の名称である件名と当該件名が示す事件の開始日および終了日の情報とを有する件名データを作成し編集するとともに、前記指定された期間に予定される事件の件名データと、前記機器データ編集手段が前記設備データとリンクさせた前記イベント情報のうち前記指定された期間にイベントが予定される機器のイベント情報とをリンクさせる件名データ編集手段と、を具備し、
前記件名データ編集手段は、前記事件の件名データとリンクするイベント情報が示す機器について、前記事件の結果、既設の機器になっているか否かを判断し、既設の機器になっている場合には当該機器のイベント情報の保存先を前記第１のデータベース部にする一方、既設の機器になっていない場合には当該機器のイベント情報の保存先を前記第２のデータベース部にするように構成されたことを特徴とする保全計画管理システム。
【請求項２】
前記機器データ編集手段は、新たに前記設備データと前記イベント情報とをリンクさせる際にも前記リンクを保持するように構成されており、前記設備データがリンクする全イベント情報を参照して、前記設備データが示す設備に属する系統および機器についてのイベントを履歴表示することを特徴とする請求項１記載の保全計画管理システム。
【請求項３】
前記件名データ編集手段は、新たに前記イベント情報と前記件名データとをリンクさせる際にも前記リンクを保持するように構成されており、前記件名データがリンクする全設備データを参照して、前記件名データが示す事件毎に前記設備データが示す設備に属する系統および機器についてのイベントを履歴表示することを特徴とする請求項２記載の保全計画管理システム。
【請求項４】
前記件名データは、ケース番号、改訂及び改廃の少なくとも何れかの情報を含む検討履歴情報を有することを特徴とする請求項１乃至３のいずれか１項に記載の保全計画管理システム。
【請求項５】
前記イベント情報は、前記イベントに要する費用の情報を有することを特徴とする請求項記載の１乃至４のいずれか１項に記載の保全計画管理システム。
【請求項６】
保全計画を管理するシステムに適用される方法であり、
設備データ編集手段が、予め入力された設備を構成する系統および機器の識別情報と、前記系統および機器の設置日および取外日の情報を含む属性情報とに基づいて設備構成情報を作成し、作成した設備構成情報と前記識別情報と前記属性情報とを有する設備データを編集するステップと、
機器データ編集手段が、前記設備データに含まれる機器情報が示す機器の製造番号、型式および製造メーカの少なくとも何れかを含む機器固有情報と、当該機器の点検日および点検周期の情報とを有するイベント情報の入力を入力手段から受け付けて、前記機器情報が示す機器の機器固有情報を有するイベント情報を作成し編集するとともに前記設備データと前記イベント情報とをリンクさせて、既設の機器のイベント情報については第１のデータベース部に保存し、その他の機器のイベント情報については第２のデータベース部に保存して既設の機器とその他の機器とのイベント情報を区別して管理する一方、入力手段から期間が指定されると当該指定された期間にイベントが予定される機器のイベント情報を抽出するステップと、
件名データ編集手段が、前記イベントを少なくとも一つ以上有する事件の名称である件名と当該件名が示す事件の開始日および終了日の情報とを有する件名データを作成し編集するとともに、前記指定された期間に予定される事件の件名データと、前記機器データ編集手段が前記設備データとリンクさせた前記イベント情報のうち前記指定された期間にイベントが予定される機器のイベント情報とをリンクさせるステップと、
件名データ編集手段が、前記事件の件名データとリンクするイベント情報が示す機器について、前記事件の結果、既設の機器になっているか否かを判断し、既設の機器になっている場合には当該機器のイベント情報の保存先を前記第１のデータベース部にする一方、既設の機器になっていない場合には当該機器のイベント情報の保存先を前記第２のデータベース部にするステップを備えることを特徴とする保全計画管理方法。
【発明の詳細な説明】
【技術分野】
【０００１】
本発明は、保全計画管理システムおよび保全計画管理方法に関する。
【背景技術】
【０００２】
保全計画管理システムは、例えば、プロジェクト管理およびポートフォーリオの知見等の情報を利用して、件名の優先度を導き出すシステムである。このような保全計画管理システムの一例としては、例えば、特開２００５−１８１３２号公報（特許文献１）に記載されているように、投資額（費用）、リスク、効果を示すＲＯＩ（Ｒｅｔｕｒｎ  Ｏｎ  Ｉｎｖｅｓｔｍｅｎｔ：投資収益率）を評価して優先度を導く保全計画管理支援装置がある。
【先行技術文献】
【特許文献】
【０００３】
【特許文献１】特開２００５−１８１３２号公報
【発明の概要】
【発明が解決しようとする課題】
【０００４】
しかしながら、上述したような従来の保全計画管理システムは、幾つかある候補（件名）に対して、件名の優先度を導き出すためのシステムであり、件名の優先度を導き出すのに先立って、投資額、リスク、ＲＯＩ等を求める必要がある。このような従来の保全計画管理システムでは、投資額、リスク、ＲＯＩ等を算出する際に複利計算等の特殊計算を要することから、時間的にも費用的にも負担が少なくないという課題がある。
【０００５】
また、優先順位を設定する全ての件名に対して投資額、リスク、ＲＯＩ等を求めない限り優先順位を設定できないということから、計画がある程度具体化した段階にならないと上述したような従来の保全計画管理システム適用することができないという課題がある。
【０００６】
本発明は上述した課題を解決するためになされたものであり、上述した投資額、リスク、ＲＯＩ等を算出する時間的な負担や費用的な負担をかけることなく、すなわち、従来よりも手間をかけることなく、保全計画の設定および管理が可能な保全計画管理システムおよび保全計画管理方法を提供することを目的とする。
【課題を解決するための手段】
【０００７】
本発明の実施形態に係る保全計画管理システムは、上述した課題を解決するため、設備を構成する系統の系統識別情報と、当該系統に属する機器の系統識別情報および機器識別情報と、前記系統および機器の設置日および取外日の情報を含む属性情報の入力を受け付けて、前記系統の系統識別情報および属性情報を有する系統情報と、前記機器の機器識別情報および属性情報を有する機器識別情報とを有する機器情報とを作成し編集するとともに、前記系統識別情報をキーとして前記設備の構成を階層的に表現した設備構成情報を作成し、前記系統情報と、前記機器情報と、前記設備構成情報とを有する前記設備の設備データの入力および編集を行なう設備データ編集手段と、前記設備データに含まれる機器情報が示す機器の製造番号、型式および製造メーカの少なくとも何れかを含む機器固有情報と、当該機器の点検日および点検周期の情報とを有するイベント情報の入力を受け付けて、前記機器情報が示す機器のイベント情報を作成し編集するとともに前記設備データと前記イベント情報とをリンクさせて、既設の機器のイベント情報については第１のデータベース部に保存し、その他の機器のイベント情報については第２のデータベース部に保存して既設の機器とその他の機器とのイベント情報を区別して管理する一方、入力手段から期間が指定されると当該指定された期間にイベントが予定される機器のイベント情報を抽出する機器データ編集手段と、前記イベントを少なくとも一つ以上有する事件の名称である前記イベントの名称である件名と当該件名が示すイベントの開始日および終了日の情報とを有する件名データを作成し編集するとともに、前記指定された期間に予定されるイベントの件名データと、前記機器データ編集手段が前記設備データとリンクさせた前記イベント情報のうち前記指定された期間にイベントが予定される機器のイベント情報とをリンクさせる件名データ編集手段と、を具備し、前記件名データ編集手段は、前記事件の件名データとリンクするイベント情報が示す機器について、前記事件の結果、既設の機器になっているか否かを判断し、既設の機器になっている場合には当該機器のイベント情報の保存先を前記第１のデータベース部にする一方、既設の機器になっていない場合には当該機器のイベント情報の保存先を前記第２のデータベース部にするように構成されたことを特徴とする。
【０００８】
本発明の実施形態に係る保全計画管理方法は、上述した課題を解決するため、保全計画を管理するシステムに適用される方法であり、設備データ編集手段が、予め入力された設備を構成する系統および機器の識別情報と、前記系統および機器の設置日および取外日の情報を含む属性情報とに基づいて設備構成情報を作成し、作成した設備構成情報と前記識別情報と前記属性情報とを有する設備データを編集するステップと、機器データ編集手段が、前記設備データに含まれる機器情報が示す機器の製造番号、型式および製造メーカの少なくとも何れかを含む機器固有情報と、当該機器の点検日および点検周期の情報とを有するイベント情報の入力を入力手段から受け付けて、前記機器情報が示す機器の機器固有情報を有するイベント情報を作成し編集するとともに前記設備データと前記イベント情報とをリンクさせて、既設の機器のイベント情報については第１のデータベース部に保存し、その他の機器のイベント情報については第２のデータベース部に保存して既設の機器とその他の機器とのイベント情報を区別して管理する一方、入力手段から期間が指定されると当該指定された期間にイベントが予定される機器のイベント情報を抽出するステップと、件名データ編集手段が、前記イベントを少なくとも一つ以上有する事件の名称である件名と当該件名が示す事件の開始日および終了日の情報とを有する件名データを作成し編集するとともに、前記指定された期間に予定される事件の件名データと、前記機器データ編集手段が前記設備データとリンクさせた前記イベント情報のうち前記指定された期間にイベントが予定される機器のイベント情報とをリンクさせるステップと、件名データ編集手段が、前記事件の件名データとリンクするイベント情報が示す機器について、前記事件の結果、既設の機器になっているか否かを判断し、既設の機器になっている場合には当該機器のイベント情報の保存先を前記第１のデータベース部にする一方、既設の機器になっていない場合には当該機器のイベント情報の保存先を前記第２のデータベース部にするステップを備えることを特徴とする。
【発明の効果】
【０００９】
本発明の実施形態に係る保全計画管理システムおよび保全計画管理方法によれば、全ての件名に対して投資額、リスク、ＲＯＩ等を求めるといった手間をかけることなく、保全計画を設定し、管理することができる。
【図面の簡単な説明】
【００１０】
【図１】本発明の実施形態に係る保全計画管理システムを具現するための一例を説明する説明図。
【図２】本発明の実施形態に係る保全計画管理システムの構成例を示すブロック図。
【図３】本発明の実施形態に係る保全計画管理システムに適用される系統の設備情報の一例を示す説明図。
【図４】本発明の実施形態に係る保全計画管理システムに適用される機器の設備情報の一例を示す説明図。
【図５】本発明の実施形態に係る保全計画管理システムに適用される設備構成情報の一例を示す説明図。
【図６】本発明の実施形態に係る保全計画管理システムに適用される設備データに追加するイベント情報の一例を示す説明図。
【図７】本発明に係る保全計画管理システムに適用される件名データの階層構造の一例を示す説明図。
【図８】本発明の実施形態に係る保全計画管理システムに適用される件名データのリンクの一例を示す説明図。
【図９】本発明の実施形態に係る保全計画管理システムに適用される機器属性情報と当該機器のイベント情報とのリンク状態を説明する説明図。
【図１０】図９に示される機器属性情報とリンクした当該機器のイベント情報が示す点検履歴の表示例を説明した説明図。
【図１１】本発明の実施形態に係る保全計画管理システムに適用される件名データと機器属性情報とリンクした当該機器のイベント情報とのリンク状態を説明する説明図。
【図１２】本発明の実施形態に係る保全計画管理システムに適用される件名データと機器属性情報とリンクした当該機器のイベント情報とのリンク状態（図１１とは別のリンク例）を説明する説明図。
【図１３】図１１および図１２に示される件名管理データが示す点検履歴の表示例を説明した説明図。
【図１４】本発明の実施形態に係る保全計画管理システムに適用される件名データの現在実行中の計画と事前検討した計画（検討履歴）との表示例を説明する説明図。
【発明を実施するための形態】
【００１１】
以下、本発明の実施形態に係る保全計画管理システムおよび保全計画管理方法について、図面を参照して説明する。
【００１２】
図１は本発明の実施形態に係る保全計画管理システムの一例である保全計画管理システム１０を具現する一例を説明する説明図である。
【００１３】
保全計画管理システム１０は、例えば、ハードウェア資源であるコンピュータ１がソフトウェア資源である保全計画管理プログラム（以下、プログラムを「ＰＧ」と省略する。）２を実行することによって、実現される。保全計画管理ＰＧ２は、例えば、電子ファイル、ＰＧ、データベース（以下、「ＤＢ」と省略する）を格納可能な記録手段に実行可能な状態で保存される。
【００１４】
また、保全計画管理ＰＧ２を実行することによって実現される保全計画管理システム１０では、コンピュータ１および保全計画管理ＰＧ２によってグラフィカルユーザインターフェイス（ＧＵＩ）がユーザに提供される。これにより、保全計画管理システム１０に後述する設備データの編集（作成および削除を含む。以下同様とする。）、機器データの編集および件名データの編集を実行させるためのユーザの入力操作を容易ならしめている。
【００１５】
例えば、保全計画管理システム１０ではＧＵＩによって、後述する各処理部１４〜２６単位にウインドウ表示することができ、ユーザがマウス等のポインティングデバイスを用いて、ドラッグ、ドロップ等の操作をすることによって、一の処理部から他の処理部へデータをコピーしたり移動したりすることができる。
【００１６】
図２は、保全計画管理システム１０の構成例を示すブロック図である。
【００１７】
保全計画管理システム１０は、保全計画の立案（設定）に必要なデータ編集機能と、保全計画を立案する機能（保全計画立案機能）と、立案した保全計画を検討する機能（保全計画検討機能）と、立案した保全計画を管理する機能（保全計画管理機能）とを有し、例えば、設備データ編集部１４、変更予定設備リスト部１５および設備データＤＢ部１６を備える設備データ編集手段１１と、改造・追加機器編集部１７、改造・追加機器リスト部１８、点検周期編集部１９、機器ＤＢ部２０、予備機器ＤＢ部２１および件名未割付機器リスト部２２を備える機器データ編集手段１２と、件名データ編集部２３、件名リスト部２４、件名−機器統合部２５および件名管理ＤＢ部２６を備える件名データ編集手段１３とを具備する。
【００１８】
設備データ編集手段１１は、設備データを入力し編集する機能と、データの内容を表示する機能と、設備データを管理する機能とを有する。ここで、設備データとは、保全計画の立案等を行なう対象となる設備の系統や当該系統に属する機器のデータであり、例えば、機器番号、機器名称、設置場所等のデータである。設備データは、実体のある機器を特定する以前、すなわち、一つの機器を特定するための固有情報（後述する機器データ）が存在しない状態でも設定できる。
【００１９】
設備データ編集部１４は、ユーザの入力操作に従って、設備データを、例えば、ディスプレイ等のコンピュータ１により情報を表示可能な表示手段（図２において省略）に表示し、編集することができる。設備データは、当該設備の名称等の当該設備の識別情報である設備識別情報と当該設備の属性を示す設備属性情報とを有する設備情報と、当該設備の構成を示す設備構成情報とを有する。
【００２０】
図３および図４は設備情報の一例を示す説明図であり、より詳細には、図３は系統の設備情報（以下、「系統情報」と称する。）３１の一例を示す説明図、図４は機器の設備情報（以下、「機器情報」と称する。）３２の一例を示す説明図である。また、図５は設備構成情報３３の一例を示す説明図である。
【００２１】
設備情報は、例えば、系統や機器等の設備の構成要素の各々について、名称や識別番号等の構成要素を識別する識別情報と、当該構成要素の略称、設置予定日、廃棄予定日等の当該構成要素の属性を表す情報（属性情報）とを有する。識別情報の一例としては、系統の名称等の系統識別情報や機器の名称等の機器識別情報等がある。
【００２２】
系統情報３１は、設備データ編集部１４から入力または編集され、図３に一例として示されるように、系統番号、系統名称、系統略称、系統の設置／廃棄日の情報を有する。また、機器情報３２は、設備データ編集部１４から入力または編集され、図４に一例として示されるように、機器番号、機器名称、機種、機器が含まれる系統の系統番号、機器の設置／廃棄日を有する。
【００２３】
一方、設備構成情報３３とは、設備を構成する各機器が当該設備の何れの系統に含まれるかを示す情報であり、当該設備の設備属性情報に基づいて設備を構成する機器および系統の関係が階層的に表される。設備データ編集部１４は、系統情報３１と機器情報３２の両者に共通する属性情報の一項目をキーとすることで、設備、系統および機器の関係を階層的に（ツリー構造で）表現した設備構成情報３３を作成する。
【００２４】
例えば、図５に示される設備の設備構成情報は、図３に示される系統情報３１と図４に示される機器情報３２の両者に共通する系統番号の項目をキーとして、当該設備が系統番号「Ｂ３０」の系統と系統番号「Ｂ３１」の系統とを備え、系統番号「Ｂ３０」の系統が機器番号「Ｂ３０−Ｍ０−Ｆ００１」の機器と機器番号「Ｂ３０−Ｍ０−Ｆ００２Ｂ」の機器とを有することを示す。
【００２５】
図２に戻り、変更予定設備リスト部１５は、系統および機器を追加で設置する（追設）または廃止する前の状態の系統・機器の設備データを変更予定設備リストとして登録し保存する。また、変更予定設備リスト部１５は、機器データ編集手段１２からのデータ読み出し要求に応じて、保存する変更予定設備リストのデータを機器データ編集手段１２へ送信する。
【００２６】
このように、変更予定設備リストを登録し保存するのは、系統および機器の少なくとも一方を追設または廃止する前であっても発注等は行なわれるためであり、機器の追設または廃止する前に発注等がされた場合には、変更予定設備リストが使用される。変更予定設備リストは、設備データの一例であるから、上述した図５に示されるような階層構造で表現することができる。
【００２７】
設備データＤＢ部１６は、設備データ編集部１４で作成した設備データを保存し管理する。設備データＤＢ部１６が保存し管理する設備データは、例えば、図３乃至５に示されるような設備情報３１，３２と設備構成情報３３とを有するデータであり、階層構造で表現することができる。
【００２８】
より詳細に説明すれば、設備データＤＢ部１６は、設備データ編集部１４で作成した設備データを保存する。また、設備データＤＢ部１６は、機器データ編集手段１２からデータ読み出し要求があれば、当該データ読み出し要求のあった設備リストのデータを機器データ編集手段１２へ送信する。さらに、系統または機器の設置／廃棄日になり、実際に系統や機器が追設または廃止されたことを確認した後に、系統や機器が追設または廃止前の状態の系統・機器の設備データを変更予定設備リスト部１５へ送信する。
【００２９】
機器データ編集手段１２は、設備データ編集手段１１で編集した設備構成に、製造番号、製造メーカ等の個々の機器情報である機器データを入力および編集する機能と、データの内容を表示する機能と、機器データを管理する機能とを有する。ここで、機器データとは、実体のある機器の固有情報（機器固有情報）であり、例えば、製造番号、型式、製造メーカ等のデータである。
【００３０】
改造・追加機器編集部１７は、機器固有情報である機器データを有するイベント情報を編集（作成）し、編集したイベント情報と変更予定設備リスト部１５に保存される変更予定設備リストまたは設備データＤＢ部１６に保存される設備データとを関連付ける（リンクさせる）。また、改造・追加機器編集部１７は、機器データおよび読み出した設備データを表示手段に表示させることができる。
【００３１】
図６は設備データに追加するイベント情報３４の一例を示す説明図である。イベント情報３４は、例えば、図６に示されるように、機器情報３２とリンクされ、リンクさせる機器情報３２が示す機器についての製造番号、製造メーカ名、点検周期、点検開始予定日、点検開始実績日、点検終了予定日、点検終了実績日、取付予定日、取付実績日、取外予定日および取外実績日の項目が設定され、各項目の内容を示す情報が適宜入力される。
【００３２】
図２に戻り、改造・追加機器リスト部１８は、改造・追加機器編集部１７が属性情報を追加した後の設備データを表示手段に表示させることができ、改造・追加機器編集部１７で追加された後の設備データおよび改造・追加機器編集部１７で追加されるイベント情報３４を保存することができる。
【００３３】
点検周期編集部１９は、改造・追加機器編集部１７で追加されるイベント情報３４の一項目として含まれる点検周期について編集をする。イベント情報３４として設定される点検周期は一種類に限らず、例えば、製造番号およびメーカ名にリンクした点検周期および機器番号等にリンクした点検周期の二種類等、複数種類を設定することもできる。点検周期が複数設定されている場合には、編集時に何れの点検周期を優先するかを選択できる。
【００３４】
機器ＤＢ部２０は、既設の機器についてイベント情報３４を保存する。このとき、イベント情報３４が機器情報３２とリンクされている場合には当該リンクを保持した状態で保存する。また、機器ＤＢ部２０は、保存しているイベント情報３４に含まれる前回点検日と点検周期の情報から次回点検時期を類推し初期値として入力する。例えば、前回点検日（点検開始実績日および点検終了実績日）に点検周期をプラスした日付を計算し、その日付を超えない至近の点検期間を選択する。
【００３５】
予備機器ＤＢ部２１は、新規購入機器または入替保修で取り外した機器等の現在設置されていない機器についてのイベント情報３４を登録（保存）する。また、予備機器ＤＢ部２１は、機器ＤＢ部２０と同様にイベント情報３４が機器情報３２とリンクされている場合には当該リンクを保持した状態で保存する。
【００３６】
このように、イベント情報３４は、現在設置されている既設の機器のイベント情報３４とその他の機器、すなわち、現在設置されていない機器のイベント情報３４とで区別して管理されており、例えば、既設の機器のイベント情報３４は機器ＤＢ部２０に、新規購入機器または入替保修で取り外した機器等の現在設置されていない機器についてのイベント情報３４は予備機器ＤＢ部２１に保存される。
【００３７】
件名未割付機器リスト部２２は、機器ＤＢ部２０および予備機器ＤＢ部２１に保存されるイベント情報３４から指定した点検期間に点検を実施する候補となっている機器を抽出し、登録する。そして、抽出した機器について表示手段に表示する。ここで、抽出される機器は、機器ＤＢ部２０に保存されるイベント情報３４については、機器ＤＢ部２０で類推された点検期間もしくはその点検期間を修正後の点検期間が指定した点検期間と一致する機器である。また、予備機器ＤＢ部２１に保存されるイベント情報３４については、保守済である機器である。
【００３８】
件名データ編集手段１３は、件名データを編集する機能と、データの内容を表示する機能と、件名データを管理する機能とを有する。ここで、件名データ３５は、少なくとも、点検等の保守計画の観点から必要となるイベントを少なくとも一つ以上有する事件の名称（件名）の情報を有し、必要に応じてさらに当該事件の期間（開始日と終了日）、件名番号、費用等の属性情報を付加することができる。
【００３９】
件名データ編集部２３は、例えば、弁点検等の件名を示す情報を有する件名データ３５を編集する。また、件名データ編集部２３は、件名を階層管理可能で、何階層にも登録することができる。
【００４０】
図７は、件名データ３５の階層構造の一例を示す説明図である。件名データ３５は、例えば、図７に示されるように、複数の階層で構成され、「弁点検」の階層の下位層に「一般弁点検」と「電動弁点検」とを有するデータ構成を採る。
【００４１】
図２に戻り、件名リスト部２４は、件名データ編集部２３によって編集された件名データを表示手段に表示させることができる。また、件名データを保存することができる。
【００４２】
件名−機器統合部２５は、件名未割付機器リスト部２２に登録された機器のイベント情報３４と、件名リスト部２４で階層管理された件名データ３５とを対応付ける。すなわち、指定した点検期間に点検を実施する候補となっている機器の機器情報３２と、当該機器のイベント情報３４と、件名データ３５とをリンクさせる。
【００４３】
図８は、件名データ３５のリンクの一例を示す説明図である。例えば、図８に示されるように、件名「弁点検」についての件名データ３５は、件名未割付機器リスト部２２に登録された機器の機器情報３２とリンクしたイベント情報３４とリンクされ、機器情報３２と、当該機器のイベント情報３４と、件名データ３５とが対応付けられる。
【００４４】
図２に戻り、件名管理ＤＢ部２６は、件名−機器統合部２５からリンク後のデータ（以下、「件名管理データ」と称する。）を受け取り、受け取った件名管理データに基づき、機器ＤＢ部２０および予備機器ＤＢ部２１に保存されたイベント情報３４を管理する。すなわち、現在の機器の設置状態に合わせてイベント情報３４の保存先を確認し、機器の設置状態に変動があった場合には、イベント情報３４の保存先を変更する。
【００４５】
例えば、件名管理データが示すある件名において、機器ＤＢ部２０に登録された機器Ｘの撤去（取り外し）と予備機器ＤＢ部２１に登録された予備機器Ｙの設置（取り付け）が指定され、それが同一の機器番号になされている場合、件名管理ＤＢ部２６は、機器の入替がなされたと判断し、機器ＤＢ部２０に保存されていた機器Ｘのイベント情報３４を予備機器ＤＢ部２１へ移動するとともに、予備機器ＤＢ部２１の予備機器Ｙのイベント情報３４を機器ＤＢ部２０へ移動する。
【００４６】
尚、保全計画管理システム１０では、点検周期編集部１９が点検周期の編集をするとしたが、改造・追加機器編集部１７で点検周期の項目を追加するのみならず点検周期の入力および既に入力された点検周期の編集をするようにしても良い。その場合、点検周期編集部１９を省略することもできる。
【００４７】
次に、保全計画管理システム１０を用いて保全計画を設定し管理する方法（以下、単に「保全計画管理方法」と称する。）について説明する。
【００４８】
保全計画の設定は、ユーザが設備データ編集手段１１、機器データ編集手段１２および件名データ編集手段１３に指示を与えて、設備情報３１，３２、イベント情報３４および件名データ３５を作成する。
【００４９】
系統情報３１および機器情報３２の作成は、ユーザの入力操作に従って、例えば、図３および図４に示される項目について、設備データ編集部１４が当該項目の内容を示す数値、文字列を入力する。系統情報３１および機器情報３２の作成に際しては、記録手段に予め系統情報３１および機器情報３２の帳票データ（項目のみが記入されたデータ）を格納しておき、必要な帳票データを読み出すことによって、作成を省力化できる。
【００５０】
イベント情報３４の作成は、ユーザの入力操作に従って、改造・追加機器編集部１７が変更予定設備リスト部１５または設備データＤＢ部１６からリンクさせる機器情報３２を読み出し、読み出した機器情報３２にリンクさせるイベント情報３４の項目を追加していく。
【００５１】
例えば、ユーザは、変更予定設備リスト部１５、設備データＤＢ部１６および改造・追加機器編集部１７に対応するウインドウを開いておき、変更予定設備リスト部１５に対応するウインドウに表示される機器情報３２をドラッグ（選択）し、改造・追加機器編集部１７に対応するウインドウ上でドロップすれば、改造・追加機器編集部１７が変更予定設備リスト部１５に保存され選択された機器情報３２を編集可能に読み出すことができる。その後、ユーザが当該属性情報３２に基づき表示される表をクリックすることによって、改造・追加機器編集部１７が図６に示されるようなイベント情報３４の項目を追加し編集する。
【００５２】
件名データ３５の作成は、ユーザの入力操作に従って、例えば、図８に示される項目について、件名データ編集部２３が当該項目の内容を示す数値、文字列を入力する。件名データ３５の作成に際しては、記録手段に予め件名データ３５の帳票データを格納しておき、必要な帳票データを読み出すことによって、作成を省力化できる。
【００５３】
このように、件名データ編集手段１３（件名管理ＤＢ部２６）が図８に例示されるような件名管理データを作成可能な状態とすることで、保全計画の設定は完了する。続いて、保全計画の管理について説明する。
【００５４】
［設置済機器と予備機器との入替補修］
まず、保全計画の管理は、ユーザが入力操作により、件名未割付機器リスト部２２に登録された機器のイベント情報３４と件名リスト部２４で階層管理された件名データ３５とを対応付ける要求を件名−機器統合部２５へ与えることによって開始される。例えば、ユーザは、件名未割付機器リスト部２２が点検候補の機器として抽出し表示手段に表示している機器を、件名リスト部２４が階層管理し表示手段に表示している件名リストへドラッグすることで対応付けを実行させることができる。
【００５５】
当該ユーザの入力操作に従って、ユーザが件名未割付機器リスト部２２に登録された機器のイベント情報３４と、件名リスト部２４で階層管理された件名データ３５とを対応付けが要求されると、件名−機器統合部２５は、指定した点検期間に点検を実施する候補となっている機器の機器情報３２と、当該機器のイベント情報３４と、件名データ３５とをリンクさせる。
【００５６】
続いて、件名管理ＤＢ部２６は、件名−機器統合部２５から件名管理データを受け取り、受け取った件名管理データに基づき、機器ＤＢ部２０および予備機器ＤＢ部２１に保存されたイベント情報３４を確認し、取り付けおよび取り外しの状況を確認する。このとき、同じ件名において、機器ＤＢ部２０に登録された機器Ｘの撤去と予備機器ＤＢ部２１に登録された予備機器Ｙの設置が指定され、それが同一の機器番号になされている場合、件名管理ＤＢ部２６は、機器の入れ替えがなされたと判断し、機器ＤＢ部２０に保存されていた機器Ｘのイベント情報３４を予備機器ＤＢ部２１へ移動するとともに、予備機器ＤＢ部２１の予備機器Ｙのイベント情報３４を機器ＤＢ部２０へ移動する。
【００５７】
このように、保全計画管理システム１０および保全計画管理システム１０を用いた保全計画管理方法によれば、例えば、設置済機器と予備機器の入替補修等の設備構成の変化を伴わない改修についても表現できるので、入替補修に対しても保全計画管理システム１０を適用して保全計画の設定および管理をすることができる。
【００５８】
［履歴管理］
点検等の保守の履歴情報は、特定の機器単位または特定の件名単位で表示することができ、機器単位の履歴については、機器ＤＢ２０に格納される当該機器のイベント情報３４を読み出すことで、また、件名単位の履歴については、件名管理ＤＢ部２６に格納される件名データ３５を読み出すことで、表示手段に履歴を表示させることができる。
【００５９】
図９は機器情報３２と当該機器のイベント情報３４とのリンク状態を説明する説明図であり、図１０は図９に示される機器情報３２とリンクした当該機器のイベント情報３４が示す点検履歴の表示例を説明した説明図である。
【００６０】
機器ＤＢ部２０に格納される機器のイベント情報３４は、上述した図６に示されるように、機器情報３２とリンクされているが、このリンクは既に点検期間等の保守期間が経過した過去の情報に対しても消去されずに残っている。そのため、図９に示されるように、設備データＤＢ部１６の機器情報３２と当該機器固有のイベント情報３４（３４ａ〜３４ｃ）が複数リンクされている。このイベント情報３４を時間軸に沿って表示することで、図１０に示されるように履歴表示が可能となる。
【００６１】
設備データ（機器情報３２）に対応する実際の機器は、ある特定の時点では、一つに特定されるため、例えば、取付予定日、取付実績日、取外予定日、取外実績日等の項目でイベント情報３４ａ，３４ｂ，３４ｃの並び替えを行なう。その結果、図９に示される例では、古い順に（ｃ）→（ｂ）→（ａ）という並びになる。尚、並び替えの際には項目間の優先度を規定することもでき、一部データにブランク（例えば、現在取り付け中であれば取外実績日は未記入状態となる）の場合にも結果を得ることができる。
【００６２】
図１０に示されるように、機器番号Ｂ３０−Ｍ０−Ｆ００１Ａの機器の履歴は、図９に示されるイベント情報３４ｃ，３４ｂ，３４ａの順（並び替え後の順番）に従い、製造番号１０２の機器の取り付け（２００５年９月１１日）→同器の取外（２００７年９月１０日）→製造番号１０３の機器の取り付け（２００７年９月１１日）→同器の取外（２００９年９月１０日）→製造番号１０５の機器の取り付け（２００９年９月１０日）が順を追って履歴表示される。
【００６３】
図１１および図１２は、件名管理データのリンクの状態を説明する説明図であり、図１１は件名データ３５ａと、機器情報３２ａとリンクした当該機器のイベント情報３４ｄ，３４ｅとのリンク状態を説明する説明図、図１２は件名データ３５ｂと、機器情報３２ｂとリンクした当該機器のイベント情報３４ｆ，３４ｇとのリンク状態を説明する説明図である。
【００６４】
件名管理ＤＢ部２６の件名データ３５は、図８に示されるように、件名に固有する情報である件名データ３５と、点検対象の設備データである機器情報３２とリンクした当該機器のイベント情報３４とがリンクされている。しかしながら、毎回同じ件名が登録されたとしても、当該件名の件名固有情報は異なる。例えば、図１１に示される件名データ３５ａと図１２に示される件名データ３５ｂとでは、件名は同じ「弁点検」であるが、工事開始実績日等が異なるといった具合である。
【００６５】
このような事情もあり、同じ件名であっても、件名データ３５としては、図１１および図１２に示されるように、別々の件名データ３５ａ，３５ｂとして登録され、それぞれ、機器情報３２ａ，３２ｂとリンクした当該機器のイベント情報３４ｄ，３４ｅ，３４ｆ，３４ｇとリンクされる。
【００６６】
図１３は、図１１および図１２に示される件名管理データが示す点検履歴の表示例を説明した説明図である。
【００６７】
図１３に示されるように、弁点検の履歴は、図１１に示されるイベント情報３４ｄ，３４ｅに従い、弁点検（２００７年９月１０日〜同年９月２０日）では、機器番号Ｂ３０−Ｍ０−Ｆ００１Ａの機器について、製造番号１０２の機器の取り外しと製造番号１０３の機器の取り付けが行なわれた旨が表示され、弁点検（２００９年９月１０日〜２００７年９月３０日）では、機器番号Ｂ３０−Ｍ０−Ｆ００１Ｂの機器について、製造番号１０４の機器の取り外しと製造番号１０５の機器の取り付けが行なわれた旨が表示される。
【００６８】
このように、保全計画管理システム１０および保全計画管理システム１０を用いた保全計画管理方法によれば、点検等の保全計画の履歴についても管理することができる。また、管理した履歴から過去の実績を評価することができるので、今後の計画を設定する上で、計画の妥当性をより高めることができる。
【００６９】
［検討履歴管理］
保全計画管理システム１０を用いた保全計画管理方法によれば、件名データ３５の属性情報として、ケース番号および改訂（レビジョン）、改廃を管理するための情報（検討履歴情報）を項目に追加することもできる。このような件名データ３５を作成しておけば、保全計画管理システム１０での検討履歴の管理が可能となる。
【００７０】
図１４は、件名データ３５の現在実行中の計画と事前検討した計画（検討履歴）との表示例を説明する説明図である。
【００７１】
図１４に示される例は、次回以降の点検として今後５回の点検が予定されており、現在設置されている製造番号１０２の機器を分解点検して使い続ける現在実行中の計画（現行案）と、次回の点検時に１回おきに分解点検すれば良いことが知られている製造番号１０４の機器に入れ替え、その後、１回おきに分解点検する検討計画（検討案）とが表示されており、左列（無枠の列）が現在案、右列（枠付の列）が事前検討した検討案である。
【００７２】
図１４に示される表示例では、直近のイベントである「分解点検  製造番号１０２」を頂上事象として現行案と検討案とが階層的に表示される。図１４に示される各列の履歴表示は、上述した履歴管理と同様にして表示することができ、現在実行中の計画であるか事前検討した計画であるかは、ケース番号等に基づいて件名管理ＤＢ部２６が判断することができる。ユーザは表示手段に表示されている現在実行中の計画と事前検討した計画とを見比べることで、ユーザの比較評価の判断を容易にすることができる。
【００７３】
このように、保全計画管理システム１０および保全計画管理システム１０を用いた保全計画管理方法によれば、現在実行中の計画と検討履歴として保存された検討計画とを表示手段に階層的に表示するため、ユーザは視覚的に現在実行中の計画と検討計画とを容易に比較することができる。また、図１４にも示されるように、検討計画も含めて履歴表示が可能なため、ユーザは視覚的に計画の違いに起因するイベントの相違を容易に比較することができる。
【００７４】
［コスト管理］
保全計画管理システム１０を用いた保全計画管理方法によれば、イベント情報３４の項目として、例えば、図６，８に示されるように、点検費、取付費、取外費等の購入、保守および廃棄時の費用の項目を追加することもできる。このようなイベント情報３４を作成しておけば、保全計画管理システム１０での費用管理が可能となる。また、上述したケース番号、改訂および改廃等の検討履歴情報を管理する項目も加えた件名データ３５を作成しておけば、計画間での費用比較も可能となる。以下、上述した図１４に示される例で費用を比較する場合を説明する。
【００７５】
図１４に示されるように、現在の計画（左列）では、製造番号１０２の機器を５回分解点検する必要が生じる一方、検討計画（右列）では、製造番号１０２の機器の取り外しが１回、製造番号１０４の機器の取り付けが１回、製造番号１０４の機器の分解点検が２回必要となる。件名管理ＤＢ部２６は、これらの各点検に対応した件名データ３５とリンクするイベント情報３４に記録される費用を累積することによって現在の計画で必要となる費用（例えば点検費）と検討計画で必要となる費用（例えば点検費）とをそれぞれ算出することができる。
【００７６】
尚、現在の計画についての費用管理であれば、現在の計画に対応する件名データ３５とリンクするイベント情報３４に記録される費用を累積計算すれば、現在の計画に対する費用を算出することができる。
【００７７】
このように、保全計画管理システム１０および保全計画管理システム１０を用いた保全計画管理方法によれば、現在実行中の計画について費用面での管理も可能になる。また、上述したように検討履歴も保存できるようにすれば、現在実行中の計画と検討履歴として保存された検討計画との比較を費用面でもすることができるため、費用面での比較評価を定量的に行なうことができる。
【００７８】
以上、保全計画管理システム１０および保全計画管理システム１０を適用して保全計画を設定し管理する保全計画管理方法によれば、設置済機器と予備機器の入れ替え補修等の設備構成の変化を伴わない改修についても表現できるので、入替補修に対しても保全計画管理システム１０を適用して保全計画の設定および管理をすることができる。
【００７９】
また、特定の設備データにリンクした機器データおよび特定の件名データにリンクした設備データおよび機器データを階層的に表示することができるため、過去の実績を評価して今後の計画を正しく設定することができる。
【００８０】
さらに、現在実行中の計画（現行案）と検討履歴として保存された検討計画（検討案）とを同時に表示させることができるので、現行案と検討案との比較を視覚的に行なうことができる。また、現行案と検討案とが階層的に表示されるので、点検計画の違いでその後のイベントがどの様に異なるのかを視覚的に対比できるので、両者の比較評価が容易になる。
【００８１】
換言すれば、点検計画を容易に計画することができ、設備が設置されたタイミングを的確に把握することができるので、データの信頼度が向上する。また、将来の計画を策定する際に階層表示という視覚的情報および評価のための定量的な費用情報も比較可能な状態でユーザに提示することができるので、リスク、ＲＯＩ等を算出する時間的な負担や費用的な負担をかけることなく、すなわち、複利計算等の特殊計算を行なうことなく計画の立案および評価をすることができる。
【００８２】
尚、本発明は上記実施形態そのままに限定されるものではなく、実施段階では、上述した実施例以外にも様々な形態で実施することが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００８３】
１０  保全計画管理システム
１１  設備データ編集手段
１２  機器データ編集手段
１３  件名データ編集手段
１４  設備データ編集部
１５  変更予定設備リスト部
１６  設備データＤＢ部
１７  改造・追加機器編集部
１８  改造・追加機器リスト部
１９  点検周期編集部
２０  機器ＤＢ部
２１  予備機器ＤＢ部
２２  件名未割付機器リスト部
２３  件名データ編集部
２４  件名リスト部
２５  件名−機器統合部
２６  件名管理ＤＢ部
３１  系統情報
３２（３２ａ，３２ｂ）  機器情報
３３  設備構成情報
３４（３４ａ，・・・，３４ｇ）  イベント情報
３５（３５ａ，３５ｂ）  件名データ
【図１】
2012133669.tif 000003
【図２】
2012133669.tif 000004
【図３】
2012133669.tif 000005
【図４】
2012133669.tif 000006
【図５】
2012133669.tif 000007
【図６】
2012133669.tif 000008
【図７】
2012133669.tif 000009
【図８】
2012133669.tif 000010
【図９】
2012133669.tif 000011
【図１０】
2012133669.tif 000012
【図１１】
2012133669.tif 000013
【図１２】
2012133669.tif 000014
【図１３】
2012133669.tif 000015
【図１４】
2012133669.tif 000016